(57)【要約】【課題】小型運動器材の磁気誘導式カウンター装置を提供する。【解決手段】第一の領域内部の収容空間に永久磁石コンポネントを取付け、また第二の領域内部の収容空間に磁気誘導式カウンター・コンポネントを取付け、かつその磁気誘導式カウンター・コンポネントの磁気誘導式ユニットとカウンター表示ユニット及びゼロ・リターン制御ユニットが一体になる。第二の領域内部にある磁気誘導式ユニットは永久磁石ユニットの磁気誘導信号を受信し、受信した信号はカウンター表示ユニットによって電子データに転換される。【選択図】図２
0003123025.tif 000002
【実用新案登録請求の範囲】
【請求項１】
第一の領域及び当該第一の領域と相対的に移動する第二の領域を含む小型運動器材に用いられる磁気誘導式カウンター装置であって、
前記第一の領域の内部に取り付けられ、永久磁石ユニットを含む永久磁石コンポネントと、
前記第二の領域の内部において前記永久磁石コンポネントに対応する位置に取付けられ、磁気誘導式ユニットとカウンター表示ユニットを含む磁気誘導式カウンター・コンポネントと、
を有し、
前記磁気誘導式ユニットは前記永久磁石ユニットと対応する位置に取り付けられ、前記カウンター表示ユニットは前記磁気誘導式ユニットと一体になる、
磁気誘導式カウンター装置。
【請求項２】
前記カウンター表示ユニットは、ゼロ・リターン制御ユニットと一体になる、
請求項１に記載の磁気誘導式カウンター装置。
【請求項３】
前記小型運動器材は、グリッパー、腹筋トレーニング器具或いはローラー・トレーニング器具を含む、
請求項１に記載の磁気誘導式カウンター装置。
【請求項４】
小型運動器材に用いられる磁気誘導式カウンター装置であって、
永久磁石ユニットを含む永久磁石コンポネントと、
前記永久磁石コンポネントに対応する位置に取り付けられ、磁気誘導式ユニット、カウンター表示ユニット及びゼロ・リターン制御ユニットを含む磁気誘導式カウンター・コンポネントと、
を有し。
前記磁気誘導式ユニットは前記永久磁石ユニットに対応する位置に取り付けられ、前記カウンター表示ユニットは前記磁気誘導式ユニットと一体になる、
磁気誘導式カウンター装置。
【請求項５】
前記小型運動器材は、グリッパー、腹筋トレーニング器具或いはローラー・トレーニング器を含む、
請求項４に記載の磁気誘導式カウンター装置。
【請求項６】
前記カウンター表示ユーニットは、前記ゼロ・リターン制御ユニットと一体になる、
請求項４に記載の磁気誘導式カウンター装置。
【考案の詳細な説明】
【技術分野】
【０００１】
本考案は、小型運動器材の磁気誘導式カウンター装置に関し、特に運動回数データを表示できる運動器材の磁気誘導式カウンター装置に関連する。
【背景技術】
【０００２】
一般の運動器材は現代人にとって、かなり普及している。しかし一般大衆が熟知している運動器材について、例えばグリッパーや足踏み機などは全て相対変位を利用する抵抗ユニットであって、ユーザが重複施力によって、対応ユニットを変位させ、体力トレーニングから体の健康増進目的を達成するが、一般市場でよく見られる運動器材は、ユーザに運動回数データを提供する、過激な運動より運動傷害を防ぐためのカウンターを取付けている。
【０００３】
従来のカウンター運動器材１０ａ（図１）を参照する。運動器材１０ａに第一の領域１１ａ及び第二の領域１２ａを含み、第一の領域１１ａ内部の予定位置に一つの永久磁石ユニット２１ａを設け、第二の領域１２ａ内部において、永久磁石ユニット２１ａに対応する位置に磁気誘導式ユニット３３ａを設け、磁気誘導式ユニット３３ａはワイヤーａよりカウンター表示ユニット３１ａと接続される。ゼロ・リターン制御ユニット３２ａは、カウンター表示ユニット３１ａと一定距離を離れる予定位置に設けられ、ワイヤーａは、他のユニットをぐるぐる巻き付くように接続する。第一の領域１１ａ及び第二の領域１２ａに力を入れると、相対変位による運動を成し、永久磁石ユニット２１ａから磁気信号を第二の領域１２ａの磁気誘導式ユニット３３ａへ伝送した後、ユーザにその運動回数データの資料を提供するため、磁気信号はカウンター表示ユニット３１ａによって電子データに転換され、ユーザがその表示データを更新したいとき、ゼロ・リターン制御ユニット３２ａを押すだけで、カウンター表示ユニット３１ａの数字はゼロに戻る。
【０００４】
しかし、上記の従来の構造形態には、下記のような問題点が存在する。
【０００５】
１．ワイヤーａは抵抗ユニットを通り抜けて、他のユニットをぐるぐる巻き付いてから、第一の領域１１ａ及び第二の領域１２ａに力を入れると、相対変位によって運動し、カウントの目的を達成する。しかし、ワイヤーａは運動器材１０ａの外部にある活動位置に設けられたので、ワイヤーａは長期間に渡って不当使用された場合、ワイヤーａは他の運動ユニットと互いに摩擦することより、ワイヤーａがショートし、カウンター表示ユニット３１ａ、磁気誘導式ユニット３３ａ及びゼロ・リターン制御ユニット３２ａが損害される可能性がある。
【０００６】
２．磁気誘導式ユニット３３ａと接続するワイヤーａは、まず第二の領域１２ａを通り抜けてから、カウンター表示ユニット３１ａに対応する位置を通り抜く。かつそのカウンター表示ユニット３１ａと接続するワイヤーａは、導通目的を達成するため、対応する位置を通り抜いて組み込んでから、ゼロ・リターン制御ユニット３２ａと組合せしなければならない。このようの製造方式は、製造過程が煩雑でありながらコストも高いので、業者に負担をもたらし、産業の利用効果と利益には不利である。
【０００７】
よって、上記の熟知されている構造に存在する問題点に対して、いかにより理想と実用性を兼ね備えた新規構造を開発することは、消費者の切なる願いであって、また関連業者が努力して研究開発の目標と方向でもある。
【考案の開示】
【考案が解決しようとする課題】
【０００８】
本考案の目的は、小型運動器材の磁気誘導式カウンター装置を提供することにある。
【課題を解決するための手段】
【０００９】
従来の運動器材のカウンター装置に存在するワイヤーは抵抗ユニットを通り抜けて、他のユニットと接続し、第一の領域及び第二の領域が相対変位によって運動し、カウントの目的を達成する。しかし、そのワイヤーは、この運動器材の外部にある活動位置に設けられたので、長期間に渡って不当使用された場合、ワイヤーは他の運動ユニットと互いに摩擦することより、ワイヤーはショートし、カウンター表示ユニット、磁気誘導式ユニット及びゼロ・リターン制御ユニットが損害される問題点がある。
【００１０】
前記の問題点を解決するために、本考案は、主に第一の領域の内部の収容空間に永久磁石コンポネントを取付け、かつその永久磁石コンポネントに含まれる永久磁石ユニットは第一の領域の第一の誘導端の位置に設置し、また第二の領域の内部の収容空間に磁気誘導式カウンター・コンポネントを取付け、かつその磁気誘導式カウンター・コンポネントには磁気誘導式ユニットとカウンター表示ユニット及び一つのゼロ・リターン制御ユニットが一体になっている。その第一の領域及び第二の領域が相対変位を成すとき、第一の領域の第一の誘導端は第二の領域の第二の誘導端へ近付くまた接触することより、第二の領域の内部にある磁気誘導式ユニットは永久磁石ユニットの磁気誘導信号を受信し、受信した信号はカウンター表示ユニットによって電子データに転換されるところである。また、本考案の長所は、永久磁石コンポネントと磁気誘導式カウンター・コンポネントを自由にその運動器材の二つの対応する接触端に嵌め込むことができるような、簡単かつ巧妙な設計である。このイノベーションかつオリジナルな設計によって、本考案を従来技術と比較すると、ワイヤーをぐるぐる巻き付くことがないので、実用性が高まる。
【００１１】
また、従来の磁気誘導式ユニットと接続するワイヤーは、第二の領域を通り抜けてから、カウンター表示ユニットと対応する位置を通り抜く。かつ導通目的を達成するため、そのワイヤーはカウンター表示ユニットと対応する位置を通り抜いてから、ゼロ・リターン制御ユニットと組合せることが必要である。このようの製造方式は、製造過程が煩雑でありながらコストも高いので、業者に負担をもたらし、産業の利用効果と利益には不利である問題点に対して、本考案の運動器材の第一の領域と第二の領域の内部に、自由に一つの永久磁石及び対応する磁気誘導式カウンター・コンポネントを嵌め込むことができるもう一つの特別技術であって、組立の便利さとコストダウンの実用性が達成される。
【考案の効果】
【００１２】
本考案は、小型運動器材の磁気誘導式カウンター装置を提供し、従来技術と比較すると、ワイヤーをぐるぐる巻き付くことがないので、実用性が高まる。
【考案を実施するための最良の形態】
【００１３】
次に、添付した図面を参照しながら、本考案の好適な実施形態を詳細に説明する。
【００１４】
第２〜９図で示しているのは、本考案の小型運動器材の磁気誘導式カウンター装置の好適な実施形態である。
【００１５】
まず、第２、３図で示すように、小型運動器材１０には、第一の領域１１及び第二の領域１２が含まれて、第一の領域１１と第二の領域１２内部に収容空間１６と１７を設け、第二の領域の予定位置にスロット１５があって、また第一の領域１１及び第二の領域１２と相対的に近付くまた接触する位置に第一の誘導端１３及び第二の誘導端１４を形成し、第一の領域の第一の誘導端１３及び第二の誘導端１４が相対的に近付くまた接触する目的を達成するため、第一の領域１１及び第二の領域１２は相対変位運動を成す。
【００１６】
永久磁石コンポネント２０を運動器材１０の第一の領域１１内部の収容空間１６に取付け、その永久磁石コンポネント２０は永久磁石ユニット２１が入っていて、かつその永久磁石ユニット２１は第一の誘導端１３と対応する位置に取付けられている。
【００１７】
磁気誘導式カウンター・コンポネント３０を上記の運動器材１０の第二の領域１２内部の収容空間１７の中に取付け、かつその磁気誘導式カウンター・コンポネント３０を永久磁石コンポネント２０と対応する位置に取付け、またその磁気誘導式カウンター・コンポネント３０は磁気誘導式ユニット３３とカウンター表示ユニット３１及びゼロ・リターン制御ユニット３２が入っている。その中に、磁気誘導式カウンター・コンポネントを第二の領域１２の収容空間１７内の第二の誘導端１４の位置に取付け、かつその磁気誘導式ユニット３３を永久磁石コンポネント２１との間に磁気誘導の目的を達成させるため、永久磁石コンポネント２１と対応する位置に取付ける。
【００１８】
カウンター表示ユニット３１を第二の領域１２のスロット１５に露出し、かつその磁気誘導式ユニット３３が直接磁気信号をカウンター表示ユニット３１へ伝送し、内部信号を通してデータを転換させることより、磁気誘導回数をカウンター表示ユニット３１に表示し、ユーザに第一の領域１１と第二の領域１２の相対変位回数を提供し、及びゼロ・リターン制御ユニット３２ａを上記のカウンター表示ユニット３１と一体に接続し、カウンター表示ユニット３１の数字がゼロに戻るによって、新データを提供する。
【００１９】
上記の構造を設計し、次は本考案の作動状況について下記のように説明する。
【００２０】
第４〜７図で示すように、運動器材１０の第一の領域１１と第二の領域１２の両方に力を入れることより、第一の領域１１及び第二の領域１２が相対変位による運動を成し、その第一の領域１１内部の収容空間１６に永久磁石コンポネント２０を取付け、かつその永久磁石コンポネント２０に含まれる永久磁石ユニット２１は第一の誘導端１３の位置に設置し、また第二の領域１２内部の収容空間１７に磁気誘導式カウンター・コンポネント３０を取付け、かつその磁気誘導式カウンター・コンポネント３０には磁気誘導式ユニット３３とカウンター表示ユニット３１及びゼロ・リターン制御ユニット３２が一体になっている。その中のカウンター表示ユニット３１は相対的に第二の領域１２のスロット１５に取付け、第一の領域１１と第二の領域１２が相対変位し、第一の領域１１の第一の誘導端１３が相対的に第二の誘導端１４へ近付くまた接触することより、第二の領域１２内部にある磁気誘導式ユニット３３は永久磁石ユニット２１の磁気誘導信号を受信し、受信した信号はカウンター表示ユニット３１によって電子データに転換され、ユーザに第一の領域１１と第二の領域１２の相対変位回数を提供する（第４、５図を参照する）。
【００２１】
また、ユーザがその表示データを更新したいとき、ゼロ・リターン制御ユニット３２を押すだけで、カウンター表示ユニット３１の数字はゼロに戻り、表示回数データが更新される。（第６、７図を参照する）。
【００２２】
第８図は、本考案の第一実施形態であって、ローラー運動器１０ｂの第一の領域１１ｂに永久磁石コンポネント２０を設け、また第二の領域１２ｂの永久磁石コンポネント２０と対応する位置に磁気誘導式カウンター・コンポネント３０を取付ける。これにより、第一の領域１１ｂと第二の領域１２ｂが相対変位運動を成すとき、その磁気誘導式カウンター・コンポネント３０は、永久磁石コンポネント２０が近付くまた接触することにより生じる磁気信号を受信し、受信した磁気信号は、カウンター表示ユニット３１によって電子データに転換され、ユーザに第一の領域１１ｂと第二の領域１２ｂの相対変位回数を提供する。また、ユーザがカウンター表示ユニット３１のデータを更新したいとき、ゼロ・リターン制御ユニット３２を押すだけで、データが更新されて、回数データが現れる。ユーザがローラーを押すとき、ローラーの第一の領域はローラーの第二の領域に対して往復運動を行うことにより、そのデータを計算する。
【００２３】
第９図は本考案の第二実施形態であって、ローラー運動器１０ｂの第一の領域１３ｂに永久磁石コンポネント２０を取付け、また第二の領域１４ｂに磁気誘導式カウンター・コンポネント３０を永久磁石コンポネント２０と対応する位置に取付ける。これにより、第一の領域１３ｂと第二の領域１４ｂが相対変位運動を成すとき、その磁気誘導式カウンター・コンポネント３０は、永久磁石コンポネント２０が近付くまた接触することにより生じる磁気信号を受信し、受信した磁気信号は、カウンター表示ユニット３１によって電子データに転換され、ユーザに第一の領域１３ｂと第二の領域１４ｂの相対変位回数を提供する。またユーザがカウンター表示ユニット３１のデータを更新したいとき、ゼロ・リターン制御ユニット３２を押すだけで、データが更新されて、回数データが現れる。ユーザがローラーを押すとき、ローラーが一周回ると、第一の領域１３ｂ及び第二の領域１４ｂが相対的に誘導することにより、そのデータを計算する。
【００２４】
第１０図は本考案の第三実施形態であって、腹筋トレーニング器具１０ｃの第一の領域１１ｃに永久磁石コンポネント２０を取付け、また第二の領域１２ｃの永久磁石コンポネント２０と対応する位置に磁気誘導式カウンター・コンポネント３０を取付ける。これにより、第一の領域１１ｃと第二の領域１２ｃが相対変位運動を成すとき、その磁気誘導式カウンター・コンポネント３０は、永久磁石コンポネント２０が近付くまた接触することにより生じる磁気信号を受信し、受信した磁気信号は、カウンター表示ユニット３１によって電子データに転換され、ユーザに第一の領域１１ｃと第二の領域１２ｃの相対変位回数を提供する。またユーザがカウンター表示ユニット３１のデータを更新したいとき、ゼロ・リターン制御ユニット３２を押すだけで、データが更新されて、回数データが現れる。ユーザが腹筋トレーニング器具を動かすとき、第一の領域１１ｃ及び第二の領域１２ｃが相対往復で変位しながら互いに誘導することより、そのデータを計算する。
【００２５】
第１１図は本考案の第四実施形態であって、ツイスト・バー１０ｄの第一の領域１１ｄに永久磁石コンポネント２０を取付け、また第二の領域１２ｄの永久磁石コンポネント２０と対応する位置に磁気誘導式カウンター・コンポネント３０を取付ける。これにより、第一の領域１１ｄと第二の領域１２ｄが相対変位運動を成すとき、その磁気誘導式カウンター・コンポネント３０は、永久磁石コンポネント２０が近付くまた接触することにより生じる磁気信号を受信し、受信した磁気信号は、カウンター表示ユニット３１によって電子データに転換され、ユーザに第一の領域１１ｄと第二の領域１２ｄの相対変位回数を提供する。またユーザがカウンター表示ユニット３１のデータを更新したいとき、ゼロ・リターン制御ユニット３２を押すだけで、データが更新されて、回数データが現れる。ユーザがツイスト・バーを動かすとき、第一の領域１１ｄ及び第二の領域１２ｄが相対往復で変位しながら互いに誘導することより、そのデータを計算する。
【００２６】
第１２図は本考案の第五実施形態であって、ハンドグリッパー１０ｄの第一の領域１１ｅに永久磁石コンポネント２０を取付け、また第二の領域１２ｅの永久磁石コンポネント２０と対応する位置に磁気誘導式カウンター・コンポネント３０を取付ける。これにより、第一の領域１１ｅと第二の領域１２ｅが相対変位運動を成すとき、その磁気誘導式カウンター・コンポネント３０は、永久磁石コンポネント２０が近付くまた接触することにより生じる磁気信号を受信し、受信した磁気信号は、カウンター表示ユニット３１によって電子データに転換され、ユーザに第一の領域１１ｅと第二の領域１２ｅの相対変位回数を提供する。またユーザがカウンター表示ユニット３１のデータを更新したいとき、ゼロ・リターン制御ユニット３２を押すだけで、データが更新されて、回数データが現れる。ユーザがハンドグリッパーを動かすとき、その第一の領域１１ｅ及び第二の領域１２ｅが相対往復で変位しながら互いに誘導することより、そのデータを計算する。
【００２７】
更に補足したいのは、現代運動器材の形態は多種多様であるが、本考案の小型運動器材の磁気誘導式カウンター装置は当業界またユーザのニーズに応えて、必要な運動器材に取付け、ニーズを満足させることができると声明する。
【００２８】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２９】
【図１】熟知されている運動器材のカウンター装置の平面図である。
【図２】本考案における小型運動器材の磁気誘導式カウンター装置の組合せ斜視図である。
【図３】本考案における小型運動器材の磁気誘導式カウンター装置の分解斜視図である。
【図４】本考案における小型運動器材の磁気誘導式カウンター装置の動作説明図である。
【図５】本考案における小型運動器材の磁気誘導式カウンター装置の他の動作説明図である。
【図６】本考案における小型運動器材の磁気誘導式カウンター装置の他の動作説明図である。
【図７】本考案における小型運動器材の磁気誘導式カウンター装置の他の動作説明図である。
【図８】本考案における小型運動器材の磁気誘導式カウンター装置の第一の実施形態に係る図である。
【図９】本考案における小型運動器材の磁気誘導式カウンター装置の第二の実施形態に係る図である。
【図１０】本考案における小型運動器材の磁気誘導式カウンター装置の第三の実施形態に係る図である。
【図１１】本考案における小型運動器材の磁気誘導式カウンター装置の第四の実施形態に係る図である。
【図１２】本考案における小型運動器材の磁気誘導式カウンター装置の第五の実施形態に係る図である。
【符号の説明】
【００３０】
１０ａ  運動器材
１１ａ  第一の領域
１２ａ  第二の領域
２１ａ  永久磁石ユニット
３１ａ  カウンター表示ユニット
３２ａ  ゼロ・リターン制御ユニット
３３ａ  磁気誘導式ユニット
ａ  ワイヤー
１０  運動器材
１１  第一の領域
１２  第二の領域
１３  第一の誘導端
１４  第二の誘導端
１５  スロット
１６  収容空間
１７  収容空間
２０  永久磁石コンポネント
２１  永久磁石ユニット
３０  磁気誘導式カウンター・コンポネント
３１  カウンター表示ユニット
３２  ゼロ・リターン制御ユニット
３３  磁気誘導式ユニット
１０ｂ  ローラー運動器  
１１ｂ  第一の領域
１２ｂ  第二の領域
１３ｂ  第一の領域
１４ｂ  第二の領域
１０ｃ  腹筋トレーニング器具
１１ｃ  第一の領域
１２ｃ  第二の領域
１０ｄ  ツイスト・バー
１１ｄ  第一の領域
１２ｄ  第二の領域
１０ｅ  ハンドグリッパー
１１ｅ  第一の領域
１２ｅ  第二の領域
【図１】
0003123025.tif 000003
【図２】
0003123025.tif 000004
【図３】
0003123025.tif 000005
【図４】
0003123025.tif 000006
【図５】
0003123025.tif 000007
【図６】
0003123025.tif 000008
【図７】
0003123025.tif 000009
【図８】
0003123025.tif 000010
【図９】
0003123025.tif 000011
【図１０】
0003123025.tif 000012
【図１１】
0003123025.tif 000013
【図１２】
0003123025.tif 000014
【手続補正書】
【提出日】平成18年4月26日(2006.4.26)
【手続補正１】
【補正対象書類名】実用新案登録請求の範囲
【補正対象項目名】全文
【補正方法】変更
【補正の内容】
【実用新案登録請求の範囲】
【請求項１】
第一の領域及び当該第一の領域と相対的に移動する第二の領域を含む小型運動器材に用いられる磁気誘導式カウンター装置であって、
前記第一の領域の内部に取り付けられ、永久磁石ユニットを含む永久磁石コンポネントと、
前記第二の領域の内部において前記永久磁石コンポネントに対応する位置に取付けられ、磁気誘導式ユニットとカウンター表示ユニットを含む磁気誘導式カウンター・コンポネントと、
を有し、
前記磁気誘導式ユニットは前記永久磁石ユニットと対応する位置に取り付けられ、前記カウンター表示ユニットは前記磁気誘導式ユニットと一体になる、
磁気誘導式カウンター装置。
【請求項２】
前記カウンター表示ユニットは、ゼロ・リターン制御ユニットと一体になる、
請求項１に記載の磁気誘導式カウンター装置。
【請求項３】
前記小型運動器材は、グリッパー、腹筋トレーニング器具或いはローラー・トレーニング器具を含む、
請求項１に記載の磁気誘導式カウンター装置。
【請求項４】
小型運動器材に用いられる磁気誘導式カウンター装置であって、
永久磁石ユニットを含む永久磁石コンポネントと、
前記永久磁石コンポネントに対応する位置に取り付けられ、磁気誘導式ユニット、カウンター表示ユニット及びゼロ・リターン制御ユニットを含む磁気誘導式カウンター・コンポネントと、
を有し、
前記磁気誘導式ユニットは前記永久磁石ユニットに対応する位置に取り付けられ、前記カウンター表示ユニットは前記磁気誘導式ユニットと一体になる、
磁気誘導式カウンター装置。
【請求項５】
前記小型運動器材は、グリッパー、腹筋トレーニング器具或いはローラー・トレーニング器を含む、
請求項４に記載の磁気誘導式カウンター装置。
【請求項６】
前記カウンター表示ユーニットは、前記ゼロ・リターン制御ユニットと一体になる、
請求項４に記載の磁気誘導式カウンター装置。